(57)【要約】本発明は、骨整形部の直径が２〜７ｍｍであり、外側面に設けられて外部に三角錘形状または三角突起形状の多数の突起が備えられ、上部に行くほど直径が狭くなるにつれて突起も小さくなる骨整形部と上部において上記多数の三角錘形状または三角突起形状の突起が一つに集められる形態であり、骨整形部の下端には骨整形部の支持台が連結されているインプラント植込み溝のための初期溝の内面の縁に凸凹形態を与える骨整形器に関する。【選択図】図１
2014514042.tif 000002
【特許請求の範囲】
【請求項１】
インプラント植込み溝のための初期溝の内面の縁に凸凹形態を与える骨整形器において、
骨整形部と、前記骨整形部の下段に付いている骨整形部の支持台とで構成され、
前記骨整形部は直径が２〜７ｍｍであり、外側面に設けられて外部に形成された三角錘形状または三角突起形状の多数の突起が備えられ、上部に行くほど直径が狭くなるにつれて突起も小さくなる骨整形部胴体と、前記骨整形部胴体の上部で多数の三角錘形状または三角突起形状の突起が一つに集められて尖って設けられた骨整形部の上部端を含んで構成されていることを特徴とする、インプラント植込み溝のための初期溝の内面の縁に凸凹形態を与える骨整形器。
【請求項２】
インプラント植込み溝のための初期溝の内面の縁に凸凹形態を与える骨整形器において、
骨整形部と、前記骨整形部の下段に付いている骨整形部の支持台とで構成され、
前記骨整形部は直径が２〜７ｍｍであり、外側面に設けられて外部に形成された三角錘形状または三角突起形状の多数の突起が備えられ、上部に行くほど直径が狭くなるにつれて突起も小さくなる骨整形部胴体と、前記骨整形部胴体の上部で前記多数の三角錘形状または三角突起形状の突起が一つに集められてから切断された平らな形態の骨整形部の上部端を含んで構成されていることを特徴とする、インプラント植込み溝のための初期溝の内面の縁に凸凹形態を与える骨整形器。
【請求項３】
インプラント植込み溝のための初期溝の内面の縁に凸凹形態を与える骨整形器を用いてインプラントを施術する方法において、歯牙が除去された後、インプラントを施術しようとする幅の狭い歯槽骨に植込み口を形成するために、１次インプラントドリル器具で１次ドリリングして溝を形成した後、骨整形部の支持台を手で掴み、他の手でハンマーを掴んで骨整形部の支持台の下部端を打撃して力（垂直圧）を加えて２次溝の縁に骨整形部胴体の形態に凸凹を形成させ、拡張するサイズのオステオトームで打撃して溝の内面から外部に骨が一部押され一定幅に３次拡張されると、インプラントを凸凹が形成された溝の中央に固定させて施術することを特徴とするインプラント植込み溝のための初期溝の内面の縁に凸凹形態を与える骨整形器を用いてインプラントを施術する方法。
【発明の詳細な説明】
【技術分野】
【０００１】
本発明は、インプラント施術に使われる施術器具の一種であって、歯槽骨の骨拡張の際に溝の内側骨に生じる凝縮圧を吸収させるために内側骨を収縮しやすい構造を与えて皮質骨の破節なしで内側から外側に曲がるように溝の縁に凸凹形態を与えるインプラント植込み溝のための初期溝の内面の縁に凸凹形態を与える骨整形器（歯槽骨の初期溝の内面の凸凹整形器）に関する。
【背景技術】
【０００２】
一般的に、インプラント（ｉｍｐｌａｎｔ）とは、本来は人体の組織が喪失されたときに、これを回復してくれる代置物をいうが、歯科では人工歯牙の意識を意味する。
【０００３】
インプラントは、喪失された歯牙の歯根に代えるように人体に拒否反応の無いチタニウムで作った人工歯根を歯が取れた歯槽骨に植えて癒着させた後、人工歯牙を固定させて歯牙の元の機能を回復するようにした先端施術であって、一般補綴物や義歯の場合、時間が経つと周りの歯牙と骨が悪くなるが、インプラントは周りの歯牙組織を悪くしないという大きな長所があり、自然の歯牙とその機能や形が似ていながらも、虫歯が生じないため、比較的に長持ちできるという長所がある。
【０００４】
一般的に、歯槽骨（ａｌｖｅｏｌａｒ  ｂｏｎｅ）にインプラントを施術する場合、インプラントが施術できる歯槽骨の幅が確保されることが必要であり、患者の中に歯槽骨の幅が狭く、インプラントの施術ができない場合、ドリルにて皮質骨を切開し、鑿で歯槽骨を破った後、割れた隙間にスプレッダーやオステオトームを用いて拡張させた後、インプラントを施術してきた。
【０００５】
しかし、上記のような施術は、皮質骨の切断が大きくなるため、損傷の範囲が広くなり、頬側骨片が骨折して分離する失敗が多い。また、骨移植材と遮断膜が必ず必要とされるという厄介さと、経済的な負担もあるため、このような問題点を解決するために、数多くの研究が行われてきた。
【０００６】
例えば、韓国特許公開公報公開番号第１０−２００７−０１１９６２８号には、歯牙用インプラント１と、その関連部品を含む新たなフラットフォームであって、特徴的に、インプラント１及びその関連部品は、減少した直径を有することにより、特に骨頂点の細幅領域を治療するための所定の用例に適している。細幅型ではあるが、それでも丈夫で信頼性のある歯牙用インプラント１及びその関連部品を得るために、歯牙用インプラント１及びその関連部品の所定の特徴及び幾何学的な形態を再調整したり最適化したりする技術が公開されており、
【０００７】
韓国登録特許公報登録番号第１０−０８２１０７４号には、歯科用インプラントの施術の際に、インプラントを施術する部位の切開された骨組織が拡張された状態を保つようにするための骨組織拡張器において、機器胴体１０に水平方向に形成され、内周面に螺旋溝２２を有する通空２４が形成された支持片２０と、上記機器胴体１０に垂直方向に形成され、中央に挿入空間３２が形成された固定片３０と、上記支持片２０の通空２４の内部に挿入され、この通空２４の内周面の螺旋溝２２と螺旋結合される螺旋溝４２が外周面に形成されて、スクリュードライバ６０を挿入して回転させることによって、通空２４の内部で前進または後進する作動片４０と、上記支持片２０の通空２４の前方に挿入されて上記作動片４０と連動する作動軸５２が後方に形成され、固定片３０の中央の挿入空間３２に固定片３０と同一線上に位置する移動拡張片５０とで構成されたことを特徴とするインプラント施術用骨組織拡張器が述べられており、
【０００８】
韓国登録特許公報登録番号第１０−０６３０３０４号には、骨にインプラント植込みのための溝を形成する切削部と、上記切削部の直径よりは小さい直径を有しながら、上記切削部の下部に延長形成された連結部とからなるインプラント施術用拡孔器において、上記切削部は、段差が形成されるように上記切削部の上段の前面のうち外周を含む一面を上向に隆起させて形成される突出面と上記突出面の形成によって突出面とは反対に切削部の上段の前面のうち一面が陥没されて形成される時計回転方向に逆傾斜を有する陥没面と、上記段差と突出面の連結部位に水平に形成されるものであって、上顎洞粘膜と接触しても水平の線接触をなしながら力が満遍なく分散するようにすることで、上顎洞粘膜が損傷することなく、切削作業を安全に行うことができるようにした切削角と上記切削部の上段の一側すなわち上記突出面及び陥没面の間の一定部位から始まって切削部の下段まで至るにはやや足りない部位までを切断して形成される排出路を含んで構成されることを特徴とするインプラント施術用拡孔器が知られており、
【０００９】
韓国登録特許公報登録番号第１０−０８８４２１１号には、ピエゾメイン装置のハンドピースに一端が挿入固定されるピエゾ胴体と、上記ピエゾ胴体の他端に延長形成され、線形または折曲った構造を有するピエゾポールと、上記ピエゾポールの端部に切削を進めるために等間隔で複数個の切削刀が形成されたピエゾチップとで構成された上顎洞垂直接近施術用ピエゾトームにおいて、
【００１０】
上記ピエゾチップ１３の複数個の切削刀１４は、それぞれの端部が先端に向けて集められる半球状に形成され、上記ピエゾトーム１０の内側中央には、上記ピエゾ胴体１１とピエゾポール１２及びピエゾチップ１３を貫通する給水溝１５が形成され、上記ピエゾポール１２の外周面には残存骨の厚さによる挿入距離を制限するためのストッパー１６が一体に突出形成されて構成されたことを特徴とする上顎洞擧上施術用ピエゾトームが公開されていることが分かる。
【発明の概要】
【発明が解決しようとする課題】
【００１１】
皮質骨を破節することなく曲がるようにして、拡張の際に図７のように内側に形成された凸凹によって凝縮圧が吸収され、外側は適当に引っ張られる形態と、図８は、拡張の際に内側の凝縮圧が発生し、外側には引張力が発生して凝縮圧が拡張方向、すなわち、外側骨に加わって外側骨から内面骨側に破節される。
【００１２】
従って、歯槽骨の骨拡張に必要な骨整形は、内側骨が収縮しやすい構造を形成して発生する凝縮圧を吸収する凸凹形態を溝の内面の縁に与える骨整形器を開発することが本発明が解決しようとする課題である。
【課題を解決するための手段】
【００１３】
本発明は、上記のような課題を解決すべく、歯科用インプラント植込みのための骨拡張の際に、ドリリングして初期溝を形成した後、皮質骨を破節することなく拡張する凸凹形態に初期溝の内面の縁に加圧式で凸凹形態を形成した後、オステオトームで打撃して拡張し、この際に、このような凸凹形態（凝縮圧を吸収する形態）を初期溝の内面の縁に与える骨整形器を提供することが本発明が解決しようとする課題の解決手段である。
【発明の効果】
【００１４】
上記のように、本発明は、患者の歯槽骨の骨質の状態によって、それに合わせたサイズの凸凹と直径を選んで施術できるため、効果的に使うことができ、施術時間を短縮することができるだけでなく、施術の際に歯槽骨を拡張するときに必要とされる骨整形をすることで初期溝の内面の縁から発生する凝縮圧を吸収することができる構造を形成させて外側から内面に皮質骨が破節することを防ぐことができる。従って、既存の骨拡張の際に必要な過度な骨切開による深刻な損傷と移植材及び遮断膜の使用による経済的な負担、骨片の破節のような施術の失敗を防ぐことができるため、インプラント施術中、または後にその手術効果を向上させることができるという長所がある。
【図面の簡単な説明】
【００１５】
【図１】本発明のインプラント植込み溝のための初期溝の内面の縁に凸凹形態を与える骨整形器の全体図である。
【図２】本発明の骨整形部の詳細図である。
【図３】本発明の骨整形部の多様な上部状態図である。
【図４】本発明のインプラント植込み溝のための初期溝の内面の縁に凸凹形態を与える骨整形器を使用して骨を拡張した状態図である。
【図５】本発明のインプラント施術の際に、内側に凸凹形態を与えて凝縮圧が吸収され、外側は適当に引っ張られた状態図である。
【図６】本発明のインプラント植込みのために、骨拡張の際に内側の凸凹空間が減少して凝縮圧が発生し、外側に引張力が発生し、凝縮圧が内側骨から拡張方向である外側骨側に伝達されて外側骨が破壊された状態図である。
【図７】本発明の初期溝の内面の縁に凸凹形態を与える骨整形器を使って施術した写真である。
【図８】本発明の皮質骨溝の内面の縁に凸凹形態を与える骨整形器を使って施術する前の写真である。
【図９】本発明の初期溝の内面の縁にドリリングした初期溝を本発明の骨整形器にて整形して凸凹形態を与えた後、オステオトームで皮質骨を破節することなく曲げて拡張した写真である。
【発明を実施するための形態】
【００１６】
歯牙が除去された後、インプラントを施術しようとする幅が狭い歯槽骨に植込み口を形成するために、１次インプラントドリル器具で１次ドリリングして初期溝を形成した後、（図４Ａ参照）
【００１７】
本発明のインプラント植込み溝のための初期溝の内面の縁に凸凹形態を与える骨整形器の骨整形部の支持台を手で掴み、他の手でハンマーを掴んで骨整形部の支持台の下部端を打撃して力（垂直圧）を加えて２次初期溝の内面の縁に骨整形部胴体３２の形態に凸凹を形成させ（図４Ｂ参照）拡張するサイズのオステオトームを入れて打撃して（力垂直圧）溝内面から外部に骨が押し出され（歯槽骨を拡張させ）、一定幅に３次拡張されると（図４Ｃ参照）、インプラントを拡張された溝の中央に固定させてインプラント施術を行った。
【００１８】
本発明は、直径が２〜７ｍｍであり、外側面に三角錘形状または三角突起形状の多数の突起があり、ドリルで形成された溝より深く整形するときは、上部に行くほど狭くなって鋭く集められる形態であり、ドリルで形成された溝の深さだけ整形するときには、上部に行くほど直径が狭くなってから集められず切断された形態を有しており、回転によるドリリングにて先に拡張する小さい溝を形成し、拡張の際に内面の凝縮圧を吸収できる形態を直線運動によって与えるインプラント植込みのための初期溝の内面の縁に凸凹形態を与える骨整形器に関する。
【００１９】
また、本発明は、骨整形器の骨整形部の支持台の下部を直接打撃したり、既成ホルダー（従来の打撃式骨整形器）に結合して使用できる。従来には、骨内面の形態を与える骨整形器を使用せずドリルで皮質骨を大きく切開し、歯質に割って拡張器（スプレッダー或いはオステオトーム）を使用して骨片を押してグリーンスティック骨折 （Ｇｒｅｅｎ  ｓｔｉｃｋ  ｆｒａｃｔｕｒｅ）させる方式であるため、大きく骨を切開することが必要で、創傷部位が大きくなり、骨片が割れて分離しやすく、移植材と遮断膜を常に使用しなければならないため、経済的な負担が大きく、施術が難しく失敗の可能性が高いとともに、施術時間と回復時間が長くなった。
【００２０】
本発明では、施術部位に植込み溝より小さい直径の溝を回転式のドリルで１次形成し、骨整形器を溝の奥側に入れて打撃して（垂直圧を加えて）インプラント植込みの深さだけ進入させて溝内面に凝縮圧を吸収できる形態を２次で作製し、拡張器（オステオトーム）で溝を３次拡張する。
【００２１】
本発明は、打撃式骨整形器の一種であって胴体の外側面に多数の三角錘または三角突起が形成され、三角突起或いは三角錘の形態は左右対称がよく、その直径による数は次の通りである。
【００２２】
Φ２．０〜Φ２．９  ４個〜９個
Φ３．０〜Φ３．９  ５個〜１１個
Φ４．０〜Φ４．９  ５個〜１３個
Φ５．０〜Φ５．９  ６個〜１５個
Φ６．０〜Φ７．０  ７個〜１８個
【００２３】
上記の範囲内で骨質によって選んで使うことができ、骨整形部の下部直径（最大直径）は２〜７ｍｍが適している。
【００２４】
すなわち、硬い骨質では三角突起の数が多いのを使用し、軟らかい骨質では三角突起の数が少ないのを使用すれば、より簡単に骨整形ができる。
【００２５】
以下、 本発明を実施例を通じて詳しく説明すると次の通りである。
【００２６】
実施例
歯牙が除去された後、インプラントを施術しようとする幅の狭い歯槽骨に植込み口を形成するために、１次インプラントドリル器具で１次ドリリングして初期溝を形成した後、（図４Ａ参照）
【００２７】
（本発明のインプラント植込み溝のための初期溝の内面の縁に凸凹形態を与える骨整形器の）骨整形部の支持台を手で掴み、他の手でハンマーを掴んで骨整形部の支持台の下部端を打撃して力（垂直圧）を加えて２次初期溝の内面の縁に骨整形部胴体３２の形態に凸凹を形成させ（図４Ｂ参照）拡張するサイズのオステオトームを入れて打撃して（力垂直圧）溝内面から外部に骨が押し出され（歯槽骨を拡張させ）一定幅に３次拡張されると（図４Ｃ参照）、インプラントを拡張された溝の中央に固定させてインプラント施術を行った。
【００２８】
以下、本発明を図面を参照して詳しく説明すると次の通りである。
【００２９】
図１は、本発明の初期溝の内面の縁に凸凹形態を与える骨整形器の全体図、図２は、本発明の骨整形部の詳細図、図３は、本発明の骨整形部の多様な上部状態図、図４は、本発明の初期溝の内面の縁に凸凹形態を与える骨整形器を使用し骨を拡張した状態図、図５は、本発明のインプラント施術の際に内側に凸凹形態を与えて凝縮圧が吸収され、外側は適当に引っ張られた状態図、図６は、本発明のインプラント植込みのために骨拡張の際に内側の凸凹空間が減少して凝縮圧が発生し、外側に引張力が発生し、凝縮圧が内側骨から拡張方向である外側骨側に伝達されて外側骨が破壊された状態図、図７は、本発明の初期溝の内面の縁に凸凹形態を与える骨整形器を使って施術した写真、図８は、本発明の皮質骨溝の内面の縁に凸凹形態を与える骨整形器を使って施術する前の写真、図９は、本発明の初期溝の内面の縁にドリリングした初期溝を本発明の骨整形器で整形して凸凹形態を与えた後、オステオトームで皮質骨を破節することなく、曲げて拡張した写真であり、骨整形部の支持台１０、骨整形部３０、骨整形部上部端３１、３５、３６、骨整形部胴体３２を示したものであることが分かる。
【００３０】
その構造をみると、
【００３１】
図１Ａは、インプラント植込み溝のための初期溝の内面の縁に凸凹形態を与える骨整形器であって、骨整形部３０と、上記骨整形部３０の下段に付いている骨整形部の支持台１０とで構成され、
【００３２】
上記骨整形部３０は、直径が２〜７ｍｍであり、外側面に設けられて外部に形成された三角錘形状または三角突起形状の多数の突起が備えられ、上部に行くほど直径が狭くなるにつれて突起も小さくなる骨整形部胴体３２と、上記骨整形部胴体３２の上部において多数の三角錘形状または三角突起形状の突起が一つに集められて設けられた骨整形部上部端３１とで構成されている。
【００３３】
図１Ｂは、インプラント植込み溝のための初期溝の内面の縁に凸凹形態を与える骨整形器は、皮質骨溝の内面の縁に凸凹形態を与える骨整形部であって、
【００３４】
骨整形部３０と、上記骨整形部３０の下段に付いている骨整形部の支持台１０とで構成され、
【００３５】
上記骨整形部３０は、直径が２〜７ｍｍであり、外側面に設けられて外部に形成された三角錘形状または三角突起形状の多数の突起が備えられ、上部に行くほど直径が狭くなるにつれて突起も小さくなる骨整形部胴体３２と、上記骨整形部胴体３２の上部において上記多数の三角錘形状または三角突起形状の突起が一つに集められず、切断された形態の骨整形部上部端３６とで構成されたインプラント植込み溝のための初期溝の内面の縁に凸凹形態を与える骨整形器の構造である。
【００３６】
図２に図示されたように、本発明のインプラント植込み溝のための初期溝の内面の縁に凸凹形態を与える骨整形器は、骨整形部３０、骨整形部上部端３１、骨整形部胴体３２、骨整形部の支持台１２で構成され、骨整形部３０は、直径が２〜７ｍｍであり、外側面に設けられて外部に三角錘形状または三角突起形状の多数の突起が備えられ、上部に行くほど直径が狭くなるにつれて突起も小さくなる形状の骨整形部胴体３２と、端部は上記多数の三角錘形状または三角突起形状の突起が一つに集められる骨整形部上部端３１とで構成されている。
【００３７】
図３は、本発明の骨整形部の他の例を図示したもので、骨整形部３０の骨整形部胴体３２と骨整形部の上部端３１、３５、３６の形状が多様な形態を示していることが分かる。
【００３８】
図３Ｂは、骨整形部胴体３２の三角錘形状または三角突起形状の突起が多数個であり、
【００３９】
図３Ｃは、側面に設けられて外部に形成された三角錘形状または三角突起形状の多数の突起が備えられ、上部に行くほど直径が狭くなる形状の骨整形部胴体３２と、
【００４０】
上記骨整形部胴体３２の端部は、三角錘形状または三角突起形状の多数の突起が集められて鋭く尖って設けられた骨整形部上部端３５を含んで構成されていることを特徴とする皮質骨が破節することなく曲がるようにする骨整形器。
【００４１】
図３Ｄは、両側面に設けられて外部に形成された三角錘形状または三角突起形状の多数の突起が備えられ、上部に行くほど直径が狭くなる形状の骨整形部胴体３２と、
【００４２】
上記骨整形部胴体３２の端部は、切断された形態に形成された形状である皮質骨が破節することなく曲がるようにする骨整形台の上部を示すことが分かる。
【００４３】
図４は、本発明のインプラント植込み溝のための初期溝の内面の縁に凸凹形態を与える骨整形器の使用状態図で、１次歯槽骨の頬舌で幅が狭いところでのインプラント施術の際に小さい溝をドリリングして形成し（図４Ａ参照）、本発明の骨整形器を初期溝の内面に打撃して溝の内面を２次整形した後（図４Ｂ）、オステオトームで打撃して３次拡張すると（図４Ｃ）、頬舌面の歯槽骨の狭い部分が頬舌でそれぞれａだけ曲がって（広がって）いる状態となって、インプラント施術を容易に行うことができることが分かる。
【００４４】
使用及び作動状態を説明すると、
【００４５】
歯牙が除去された後、インプラントを施術しようとする幅の狭い歯槽骨に植込み口を形成するために、１次インプラントドリル器具で１次ドリリングして溝を形成した後、（図４Ａ参照）
【００４６】
（本発明のインプラント植込み溝のための初期溝の内面の縁に凸凹形態を与える骨整形器の骨整形部の支持台を手で掴み、他の手でハンマーを掴んで骨整形部の支持台の下部端を打撃して力（垂直圧）を加えて２次溝の縁に骨整形部胴体３２の形態に凸凹を形成させ（図４Ｂ参照）拡張するサイズのオステオトームで打撃して力（垂直圧）溝内面から外部に骨が一部押し出され（歯槽骨を拡張させ）一定幅に３次拡張されると（図４Ｃ参照）、インプラントを凸凹が形成された溝の中央に固定させてインプラント施術を行う。
【００４７】
言い換えると、最初の状態で本発明のインプラント植込み溝のための初期溝の内面の縁に凸凹形態を与える骨整形器に打撃（垂直加圧）して、図９のように、初期溝の縁に凸凹形態に骨を形成し、外側の皮質骨が破節することなく曲がるように（図１１参照）する骨形態を与えるインプラント施術方法である。
【産業上の利用可能性】
【００４８】
上記のように、本発明は、患者の歯槽骨の骨質の状態によって、それに合わせたサイズの凸凹と直径を選んで施術することができるため、効果的に使用でき、施術の時間を短縮することができるだけでなく、施術の際に歯槽骨を拡張するとき必要な骨整形を行うことで、初期溝の内面の縁に発生する凝縮圧を吸収できる構造を形成して、外側から内面に皮質骨が破節されることを防ぐことができる。従って、既存の骨拡張の際に必要な過度な骨切開による深刻な損傷と移植材及び遮断膜の使用による経済的な負担、骨片の破節のような施術の失敗を防ぐことができるため、インプラント施術中、または後にその手術効果を向上させることができるという長所がある。
【図１】
2014514042.tif 000003
【図２】
2014514042.tif 000004
【図３】
2014514042.tif 000005
【図４】
2014514042.tif 000006
【図５】
2014514042.tif 000007
【図６】
2014514042.tif 000008
【図７】
2014514042.tif 000009
【図８】
2014514042.tif 000010
【図９】
2014514042.tif 000011
【国際調査報告】
2014514042.tif 000012
2014514042.tif 000013
2014514042.tif 000014
2014514042.tif 000015
2014514042.tif 000016
2014514042.tif 000017